(57)【要約】【課題】  基地局間ハンドオーバ時とセクタ間ハンドオーバ時とのそれぞれに対して適切なアンテナウェイトの計算を行うことができる移動局及び方法を提供することを目的とする。【解決手段】  本発明は、複数のアンテナを用いて送信する閉ループ送信ダイバーシチを適用した無線基地局と通信する移動局であって、同時に通信する前記無線基地局の数に基づいて、前記フィードバック情報の生成方法を制御するフィードバック情報制御部を有する移動局、を提供する。この移動局は、セクタ間ハンドオーバ時には、共有物理チャネルに適したフィードバック情報を生成することができる。一方、基地局間ハンドオーバ時には、個別物理チャネルに適したフィードバック情報を生成することができる。【選択図】  図５
2006303740.tif 000002
【特許請求の範囲】
【請求項１】
複数のアンテナを用いて送信する閉ループ送信ダイバーシチを適用した無線基地局と通信する移動局であって、
同時に通信する前記無線基地局の数に基づいて、フィードバック情報の生成方法を制御するフィードバック情報制御部を有する移動局。
【請求項２】
前記フィードバック情報制御部は、前記移動局がセクタ間ハンドオーバを行うか或いは基地局間ハンドオーバを行うかに基づいて、前記フィードバック情報の生成方法を制御することを特徴とする請求項１に記載の移動局。
【請求項３】
前記無線基地局が１つ以上のセルを有し、且つ、
前記移動局が、前記１つ以上のセルのうち１つのセルと通信する第１のチャネルと、前記１つ以上のセルのうち複数のセルと同時に通信する第２のチャネルとを用いて通信する場合に、
前記フィードバック情報制御部は、
前記の同時に通信する前記無線基地局が１つの場合には、前記第１のチャネルに適したフィードバック情報を生成し、
前記の同時に通信する前記無線基地局が複数の場合には、前記第２のチャネルに適したフィードバック情報を生成することを特徴とする請求項１に記載の移動局。
【請求項４】
前記フィードバック情報制御部は、
Ｐ＝ｗＨ（α（Ｈ１ＨＨ１）＋（１−α）（Ｈ２ＨＨ２＋Ｈ３ＨＨ３＋・・・））ｗ
（ただし、Ｈ１は前記第１のチャネルが通信しているセルに関する推定チャネルのインパルス応答、Ｈ２，Ｈ３，・・・は前記第１のチャネルが通信していないが、前記第２のチャネルが通信しているセルに関する推定チャネルのインパルス応答）
におけるＰが最大となるｗを用いて前記フィードバック情報を生成し、
前記の同時に通信する前記無線基地局が１つの場合におけるαを、前記の同時に通信する前記無線基地局が複数の場合におけるαより大きい値に設定することを特徴とする請求項３に記載の移動局。
【請求項５】
前記フィードバック情報制御部は、前記の同時に通信する前記無線基地局の数、及び前記第１のチャネルが前記移動局に割り当てられるか否かに基づいて、前記フィードバック情報の生成方法を制御することを特徴とする請求項３に記載の移動局。
【請求項６】
前記第１のチャネルが共有物理チャネルであり、
前記第２のチャネルが個別物理チャネルであることを特徴とする請求項３乃至５のうちいずれか１項に記載の移動局。
【請求項７】
複数のアンテナを用いて送信する閉ループ送信ダイバーシチを適用した無線基地局と通信する移動局において、該無線基地局にフィードバック情報を生成するフィードバック情報生成方法であって、
前記移動局が、同時に通信する前記無線基地局の数に基づいて、前記フィードバック情報の生成方法を制御することを特徴とするフィードバック情報生成方法。
【発明の詳細な説明】
【技術分野】
【０００１】
本発明は、移動通信システムにおける送信ダイバーシチ制御を行う下りリンクの移動局及びその移動局におけるフィードバック情報生成方法に関するものである。
【背景技術】
【０００２】
一般に、無線通信では「フェージング」が発生し、このフェージングにより伝送品質、すなわちビット誤り率特性が大きく劣化する。
【０００３】
このフェージングによる伝送品質の劣化を補償する方法として、一般に「送信ダイバーシチ」が知られている。以下、この送信ダイバーシチの一種である「閉ループ型送信ダイバーシチ・モード１」について説明する（非特許文献１参照）。
【０００４】
閉ループ型の送信ダイバーシチの送信部の構成を図１に、受信部の構成を図２に示す。閉ループ型の送信ダイバーシチでは、移動局からのフィードバック制御（ＦＢＩ：Feedback  Information）ビットに基づき、２系統の送信データ系列にそれぞれの複素ウェイト
【０００５】
【数１】
2006303740.tif 000003
【０００６】
【数２】
2006303740.tif 000004
を乗算し、その後、拡散処理を行い、送信する。まず、無線基地局は、２つのアンテナから同じキャリア位相で共通パイロットチャネル（ＣＰＩＣＨ：Common  Pilot  Channel）を送信する。２アンテナから送信されるＣＰＩＣＨは同一の拡散符号で拡散し、パイロットシンボルを変えることで直交化を実現している。移動局は、その受信装置において、この２アンテナからのＣＰＩＣＨの逆拡散後に分離した信号の、受信キャリア位相差を制御するＦＢＩビットを生成し、上りリンクの個別物理チャネル（ＤＰＣＨ：Dedicated  Physical  Channel）の個別物理制御チャネル（DPCCH：Dedicated  Physical  Control  Channel）で送信する。このように、アンテナ２の送信キャリア位相を移動局からのＦＢＩビットを用いて制御することにより、フェージングによる受信信号電力の落ち込みに起因するビット誤りを低減することができる。無線基地局の送信部では、この移動局からのＦＢＩビットを基に生成した送信アンテナウェイトｗ１、ｗ２を２アンテナの送信データ系列に乗算して送信する。
【０００７】
３ＧＰＰにおいて仕様化されている閉ループ型送信ダイバーシチ・モード１は、移動局受信で２アンテナからの受信信号がほぼ同位相になるように、π／４のキャリア位相の分解能で第２アンテナのＤＰＣＨの送信キャリア位相を制御する。以下に、個別物理チャネルＤＰＣＨに閉ループ型送信ダイバーシチ・モード１を適用した場合の動作に関して更に詳細に説明する。
【０００８】
スロットｎにおける２アンテナの送信振幅は
【０００９】
【数３】
2006303740.tif 000005
であり、送信キャリア位相はΦ1,n＝０、Φ2,n＝｛±π／４，±３π／４｝である。すなわち、ｗ１＝１／√２、
【００１０】
【数４】
2006303740.tif 000006
である。
【００１１】
そして、移動局は、以下の式においてＰが最大となるようなｗを計算する。
【００１２】
Ｐ＝ｗＨＨＨＨｗ                                式（１）
ここで、Ｈ＝［ｈ１ ｈ２］、ｗ＝［ｗ１，ｗ２］Ｔ、であり、ｈ１及びｈ２は以下のことを示す。
【００１３】
ｈ１：送信アンテナ１からの推定チャネルのインパルス応答（Estimated  Channel  Impulse  Response）。送信アンテナ１からのＣＰＩＣＨより求められる。
【００１４】
ｈ２：送信アンテナ２からの推定チャネルのインパルス応答（Estimated  Channel  Impulse  Response）。送信アンテナ２からのＣＰＩＣＨより求められる。
【００１５】
具体的には、移動局は、２つのアンテナから送信されるＣＰＩＣＨの受信キャリア位相
【００１６】
【数５】
2006303740.tif 000007
【００１７】
【数６】
2006303740.tif 000008
を推定し、スロットｎにおけるＦＢＩビットｂｎを生成する。ここで、
【００１８】
【数７】
2006303740.tif 000009
とすると、理想的には、
【００１９】
【数８】
2006303740.tif 000010
となる。実際にはΦ2,nは離散的な値をとるため、以下のように計算される。
【００２０】
すなわち、偶数スロットｎにおいては、
【００２１】
【数９】
2006303740.tif 000011
奇数スロットｎにおいては、
【００２２】
【数１０】
2006303740.tif 000012
となる。無線基地局はＦＢＩビットの複号結果
【００２３】
【数１１】
2006303740.tif 000013
（ＦＢＩビット誤りがない場合は
【００２４】
【数１２】
2006303740.tif 000014
である）に応じて、第２アンテナにおけるＤＰＣＨの（ｎ＋１）スロットにおける暫定送信キャリア位相
【００２５】
【数１３】
2006303740.tif 000015
を次のように決める。ｎが偶数のときには、
【００２６】
【数１４】
2006303740.tif 000016
ｎが奇数のときには、
【００２７】
【数１５】
2006303740.tif 000017
そして、スロットｎ及び（ｎ＋１）の暫定キャリア位相から最終的にスロット（ｎ＋１）の第２アンテナの送信キャリア位相Φ2,(n+1)を次式のように求める。
【００２８】
【数１６】
2006303740.tif 000018
ところで、一般的な移動体通信システムにおいては、１つの無線基地局がカバーするエリアは、さらに細かい複数のセル（セクタとも言う）に分割されており、実際には、上記セル毎に通信が行われている。上記移動体通信におけるセルのイメージ図を、図３に示す。図３には、３つの無線基地局１〜３がそれぞれ３つのセクタを持つ場合を例として示している。そして、３ＧＰＰの下りリンクの個別物理チャネルＤＰＣＨにおいて、同時に複数のセルと通信を行うソフト・ハンドオーバ（Soft  Hand  Over）という制御が行われる。ここで、上記同時に通信を行う複数のセルは、同一の基地局内の異なるセルである場合と、異なる基地局内のセルである場合との２種類が存在する。このとき、同一の基地局内の異なる複数のセルと同時に通信を行うことをセクタ間ハンドオーバ（Intra-cell  Hand  Over）といい、異なる複数の基地局の複数のセルと同時に通信を行うことを基地局間ハンドオーバ（Inter-cell  Hand  Over）という。図３において、移動局１が無線基地局１のセル１１とセル１２との間でセクタ間ハンドオーバを行い、移動局２が無線基地局２のセル２３と、無線基地局３のセル３１との間で基地局間ハンドオーバを行っている。
【００２９】
そして、上記閉ループ型の送信ダイバーシチ制御を行っていて、且つ、ソフト・ハンドオーバを行っている場合には、移動局は、同時に通信を行っている全てのセルからの信号に対して、受信キャリア位相差が最適になるようにＦＢＩビットを生成する。具体的なＦＢＩビットの計算方法を以下に示す。
【００３０】
ソフト・ハンドオーバの場合には（複数のセルと通信を行う場合には）、次式のＰが最大となるようなｗが計算される。
【００３１】
Ｐ＝ｗＨ（Ｈ１ＨＨ１＋Ｈ２ＨＨ２＋・・・）ｗ        式（２）
ここで、Ｈｉはｉ番目のセルに関する推定チャネルのインパルス応答である。
【００３２】
上記は、ソフト・ハンドオーバ時に、下りの個別物理チャネルＤＰＣＨに送信ダイバーシチを適用した際の動作を説明したものであるが、下りリンクの共有チャネルであるＨＳ−ＰＤＳＣＨ（High  Speed  Physical  Downlink  Shared  Channel）に閉ループ型送信ダイバーシチ・モード１を適用した場合の動作を以下に説明する。
【００３３】
ＨＳ−ＰＤＳＣＨは、下りリンクの高速データ伝送を行う伝送方式ＨＳＤＰＡ（High  Speed  Downlink  Packet  Access）におけるデータを運ぶ共有物理チャネルである。その他の物理チャネルとしては、共有制御チャネルであるＨＳ−ＳＣＣＨ（High  Speed  Shared  Control  Channel）及び各移動局個別に設定される付随個別チャネルＡ−ＤＰＣＨ（Associated-Dedicated  Physical  Channel）がある。
【００３４】
ＨＳＤＰＡにおける送信ダイバーシチは、個別物理チャネルの場合と同様に、２アンテナからのＣＰＩＣＨの位相差からＦＢＩビットを生成し、上りリンクのＤＰＣＨでＦＢＩビットを送信し、下りリンクにおいて、第２アンテナからのＨＳ−ＰＤＳＣＨの位相を制御する。しかしながら、ＨＳＤＰＡにおけるＨＳ−ＰＤＳＣＨは、上記個別物理チャネルのようにソフト・ハンドオーバを行わず（同時に複数のセルと通信を行うことはなく）、常に１つのセルと通信を行う。すなわち、式（１）を用いて計算したｗが最適値となる。
【００３５】
ＨＳＤＰＡにおいては、ＨＳ−ＰＤＳＣＨは１つのセルと通信を行い、その他の個別物理チャネルは複数のセルと通信を行う。そのため最適なｗを計算する方法が、それぞれ式（１）と式（２）となるため、両方に最適なｗを計算することが困難となる。そこで、非特許文献２においては、下記を用いてｗを計算することが記載されている。
【００３６】
Ｐ＝ｗＨ（α（Ｈ１ＨＨ１）＋（１−α）（Ｈ２ＨＨ２＋Ｈ３ＨＨ３＋・・・））ｗ    式（３）
ただし、Ｈ１はＨＳ−ＰＤＳＣＨが通信しているセルに関する推定チャネルのインパルス応答、Ｈ２，Ｈ３，・・・はＨＳ−ＰＤＳＣＨが通信していないが、個別物理チャネルが通信しているセルに関する推定チャネルのインパルス応答、αは０から１までの範囲の実数値である。
【００３７】
例えば、αを0.7と設定することにより、ＨＳ−ＰＤＳＣＨに対しても、個別物理チャネルに対しても、より適切なｗを計算することが可能となる。
【００３８】
また、非特許文献２においては、Fast  Adaptive  Emphasisという技術が記載されている。具体的には、上記のＨＤ−ＰＤＳＣＨは１つのセルとのみ通信を行い、個別物理チャネルが複数のセルと通信を行っている場合に、ＨＳ−ＰＤＳＣＨが当該移動局に割り当てられた場合と、ＨＳ−ＰＤＳＣＨが当該移動局に割り当てられない場合とで、αの値を別々に設定する、という技術である。上記技術を用いることにより、バースト的にＨＳ−ＰＤＳＣＨが送信された場合にのみ、ＨＳ−ＰＤＳＣＨに最適なαを用いてアンテナウェイトを計算し、上記ＨＳ−ＰＤＳＣＨが送信されず、個別物理チャネルのみが送信されている場合には、個別物理チャネルに最適なαを用いてアンテナウェイトを計算することが可能となる。
【非特許文献１】３ＧＰＰ  ＴＳ２５．２１４  ｖ５．ａ．０
【非特許文献２】３ＧＰＰ  ＴＲ２５．８９９  ｖ６．１．０
【発明の開示】
【発明が解決しようとする課題】
【００３９】
上記のように、ＨＳＤＰＡにおいて、移動局はソフト・ハンドオーバ時にＨＳ−ＰＤＳＣＨとその他の個別物理チャネルのそれぞれに関して適切なアンテナウェイトを計算し、ＦＢＩビットを生成する。
【００４０】
一般的に基地局間ハンドオーバ時とセクタ間ハンドオーバ時とでは、１つのセルとのみ通信するＨＳ−ＰＤＳＣＨの特性はあまり変化しない。しかし、複数のセルと通信する個別物理チャネルに関しては、基地局間ハンドオーバ時の特性がセクタ間ハンドオーバ時の特性に比べて大きく劣化する、ということが知られている。
【００４１】
しかし、従来の方法では、基地局間ハンドオーバとセクタ間ハンドオーバとを区別していなかった。このため、基地局間ハンドオーバ時とセクタ間ハンドオーバ時とのそれぞれに対して適切なアンテナウェイトの計算を行うことができないという問題点があった。
【００４２】
本発明は、上記のような問題点に鑑みてなされたものであり、基地局間ハンドオーバ時とセクタ間ハンドオーバ時とのそれぞれに対して適切なアンテナウェイトの計算を行うことができる移動局及び方法を提供することを目的とする。
【課題を解決するための手段】
【００４３】
本発明の前記の目的は、複数のアンテナを用いて送信する閉ループ送信ダイバーシチを適用した無線基地局と通信する移動局であって、同時に通信する前記無線基地局の数に基づいて、フィードバック情報の生成方法を制御するフィードバック情報制御部を有する移動局、により解決することができる。
【００４４】
前記フィードバック情報制御部は、前記移動局がセクタ間ハンドオーバを行うか或いは基地局間ハンドオーバを行うかに基づいて、前記フィードバック情報の生成方法を制御してもよい。
【００４５】
前記無線基地局が１つ以上のセルを有し、且つ、前記移動局が、前記１つ以上のセルのうち１つのセルと通信する第１のチャネルと、前記１つ以上のセルのうち複数のセルと同時に通信する第２のチャネルとを用いて通信する場合に、前記フィードバック情報制御部は、前記の同時に通信する前記無線基地局が１つの場合には、前記第１のチャネルに適したフィードバック情報を生成し、前記の同時に通信する前記無線基地局が複数の場合には、前記第２のチャネルに適したフィードバック情報を生成してもよい。
【００４６】
この移動局により、基地局間ハンドオーバ時とセクタ間ハンドオーバ時のそれぞれに対してアンテナウェイトの生成方法を制御することが可能になる。セクタ間ハンドオーバ時には、個別物理チャネル（ＤＰＣＨ）の特性が安定しているため、共有物理チャネル（ＨＳ−ＰＤＳＣＨ）に適したフィードバック情報を生成することができる。一方、基地局間ハンドオーバ時には、複数のセルと通信する個別物理チャネルの特性が劣化する可能性があるため、個別物理チャネルに適したフィードバック情報を生成することができる。
【００４７】
前記フィードバック情報制御部は、前記の同時に通信する前記無線基地局の数、及び前記第１のチャネルが前記移動局に割り当てられるか否かに基づいて、前記フィードバック情報の生成方法を制御してもよい。
【発明の効果】
【００４８】
上記のように、本発明の実施例によれば、個別物理チャネルの品質を安定化しつつ、送信ダイバーシチを用いた通信方式のスループットを向上させることが可能になる。
【発明を実施するための最良の形態】
【００４９】
本発明の実施例について、図面を参照して以下に詳細に説明する。
【００５０】
図４は、本発明が適用される移動局４０１とその移動局と通信する無線基地局４０３とを示す図である。移動局４０１は、基地局間ハンドオーバ時とセクタ間ハンドオーバ時のそれぞれに対してアンテナウェイトを計算し、フィードバック情報を生成するフィードバック情報制御部４０５を有している。なお、移動局４０１には、フィードバック情報制御部４０５以外にも、例えば、チャネル推定、アンテナベリフィケーション、ＲＡＫＥ合成、チャネル複号等を行う部分が含まれる。これらの部分は従来技術の移動局と同様であるため、説明を省略する。移動局４０１は、フィードバック情報制御部４０５で生成したフィードバック情報（ＦＢＩビット）を無線基地局４０３に送信する。無線基地局４０３は、例えば図２のように構成されている。移動局からのＦＢＩビットに基づいて送信データ系列に重み付けを行い、２つのアンテナから移動局４０１に信号を送信する。
【００５１】
このように、本発明の実施例によれば、移動局４０１が基地局間ハンドオーバであるかセクタ間ハンドオーバであるかに応じて、アンテナウェイトの計算方法を制御することができ、受信品質の向上を図ることができる。
【００５２】
以下、特にフィードバック情報制御部に関して移動局の構成を詳細に説明する。
【００５３】
（移動局の構成）
図５は、本発明の実施例に従った移動局５０１のフィードバック情報制御部５０３の詳細を示す図である。フィードバック情報制御部５０３は、ＣＰＩＣＨ用逆拡散部５０５、位相比較部５０７、α決定部５０９、及びＦＢＩビット生成部５１１から構成される。
【００５４】
ＣＰＩＣＨ用逆拡散部５０５は、受信した信号に対して、所定のスクランブリングコード及びＣＰＩＣＨのチャネライゼーションコードを用いてＣＰＩＣＨの逆拡散を行い、上記逆拡散によって求められたＣＰＩＣＨシンボルを位相比較部５０７に出力する。ここで、受信した信号とは、アンテナにおいて受信された後、低雑音増幅器による増幅、周波数変換、自動利得制御増幅器による線形増幅、直交検波、Ａ／Ｄ変換、ルートナイキストフィルタによる帯域制限等が行われた後の信号のことを言う。なお、複数のセルと同時に通信を行っている場合には、上記複数のセルからのＣＰＩＣＨに関して逆拡散を行い、得られたＣＰＩＣＨシンボルを位相比較部５０７に出力する。
【００５５】
位相比較部５０７は、ＣＰＩＣＨ用逆拡散部５０５より受け取ったＣＰＩＣＨシンボルを用いて、第１の送信アンテナからの信号と第２の送信アンテナからの信号の位相差を判定し、その判定結果をＦＢＩビット生成部５１１に出力する。
【００５６】
具体的には、１つのセルとのみ通信を行う場合には、位相比較部５０７は次式のＰが最大となるようなｗを計算する。
【００５７】
Ｐ＝ｗＨＨＨＨｗ                                式（４）
ここで、Ｈ＝［ｈ１ ｈ２］、ｗ＝［ｗ１，ｗ２］Ｔ、であり、ｈ１及びｈ２は以下のことを示す。
【００５８】
ｈ１：送信アンテナ１からの推定チャネルのインパルス応答。
【００５９】
ｈ２：送信アンテナ２からの推定チャネルのインパルス応答。
【００６０】
位相比較部５０７は上記のｗをＦＢＩビット生成部５１１に出力する。一方、複数のセルと通信を行う場合には、次式のＰが最大となるようなｗを計算する。
【００６１】
Ｐ＝ｗＨ（α（Ｈ１ＨＨ１）＋（１−α）（Ｈ２ＨＨ２＋Ｈ３ＨＨ３＋・・・））ｗ    式（５）
ここで、Ｈ１はＨＳ−ＰＤＳＣＨが通信しているセルに関する推定チャネルのインパルス応答、
Ｈ２，Ｈ３，・・・はＨＳ−ＰＤＳＣＨが通信していないが、個別物理チャネルが通信しているセルに関する推定チャネルのインパルス応答、
αは０から１までの範囲の実数値、である。
【００６２】
位相比較部５０７は上記のｗをＦＢＩビット生成部５１１に出力する。なお、上記の式（５）におけるαは、後述するように、同時に通信する無線基地局の数（セクタ間ハンドオーバを行うか或いは基地局間ハンドオーバを行うか）に基づいてα決定部５０９で設定され、位相比較部５０７に入力される。
【００６３】
α決定部５０９は、複数のセルと通信を行っている場合に、個別物理チャネルがセクタ間ハンドオーバを行っているか、或いは基地局間ハンドオーバを行っているかに応じて、αの値を制御する。なお、３つ以上のセルと通信を行っている場合には、上記３つ以上のセルが１つの基地局内に存在する場合にはセクタ間ハンドオーバと判定する。一方、２つ以上の基地局にまたがって存在する場合には基地局間ハンドオーバと判定する。
【００６４】
α決定部５０９は、セクタ間ハンドオーバを行っていると判断した場合には、ＨＳ−ＰＤＳＣＨに最適化された値（例えば、α=1.0）を設定し、基地局間ハンドオーバを行っていると判断した場合には、個別物理チャネルに最適化された値（例えば、α=0.5）を設定することができる。上記のように設定することにより、個別物理チャネルの品質が劣化すると考えられる基地局間ハンドオーバのときには、個別物理チャネルに最適化された値を用いて、個別物理チャネルの品質を安定させることが可能になる。一方、個別物理チャネルの品質があまり劣化しないと考えられるセクタ間ハンドオーバのときには、ＨＳ−ＰＤＳＣＨに最適化された値を用いて、ＨＳＤＰＡのスループットを向上させることができる。なお、上記ではαの値として0.5及び1.0を用いているが、06.及び0.9等のように、適切な値をより細かく設定することもできる。
【００６５】
ＦＢＩビット生成部５１１は、位相比較部５０７により入力された上記ｗに基づいて、ＦＢＩビットを生成する。
【００６６】
（第１実施例）
次に、図６を参照して、図５のように構成された移動局におけるフィードバック情報の制御方法について説明する。図６は、本発明の第１実施例におけるフィードバック情報生成手順を示したフローチャートである。
【００６７】
まず、ステップ１０１において、移動局が複数のセルと同時に通信しているか否かを判定する。すなわち、個別物理チャネルがソフト・ハンドオーバ状態であるか否かを判定する。複数のセルと同時に通信していると判定した場合にはステップ１０２に進み、複数のセルと同時に通信していないと判定した場合にはステップ１０３に進む。
【００６８】
ステップ１０２において、上記のソフト・ハンドオーバがセクタ間ハンドオーバであるか否かを判定する。セクタ間ハンドオーバであると判定した場合にはステップ１０４に進み、基地局間ハンドオーバであると判定した場合にはステップ１０５に進む。
【００６９】
ステップ１０３において、移動局は１つのセルとのみ通信を行っているため、移動局の位相比較部５０７で、以下の式のＰが最大となるようなアンテナウェイトｗを計算する。
【００７０】
Ｐ＝ｗＨＨＨＨｗ
ステップ１０４において、個別物理チャネルの特性が安定しているセクタ間ハンドオーバ時であるため、移動局のα決定部５０９は、ＨＳ−ＰＤＳＣＨに最適化された値としてα=1.0を設定する。
【００７１】
ステップ１０５において、個別物理チャネルの特性が劣化する可能性のある基地局間ハンドオーバ時であるため、移動局のα決定部５０９は、個別物理チャネルの特性を安定化させる値としてα=0.5を設定する。
【００７２】
ステップ１０６において、移動局は複数のセルと通信しているため、移動局の位相比較部５０７で、以下の式のＰが最大となるようなアンテナウェイトｗを計算する。
【００７３】
Ｐ＝ｗＨ（α（Ｈ１ＨＨ１）＋（１−α）（Ｈ２ＨＨ２＋Ｈ３ＨＨ３＋・・・））ｗ
ステップ１０７において、移動局のＦＢＩビット生成部５１１は、このようにして計算されたｗに基づいてＦＢＩビットを生成する。
【００７４】
（第２実施例）
次に、図７を参照して、図５のように構成された移動局がFast  Adaptive  Emphasisを行っている場合のフィードバック情報の制御方法について説明する。図７は、本発明の第２実施例におけるフィードバック情報生成手順を示したフローチャートである。
【００７５】
第１実施例と同様に、ステップ２０１において、移動局が複数のセルと同時に通信しているか否かを判定する。すなわち、個別物理チャネルがソフト・ハンドオーバ状態であるか否かを判定する。複数のセルと同時に通信していると判定した場合にはステップ２０２に進み、複数のセルと同時に通信していないと判定した場合にはステップ２０３に進む。
【００７６】
ステップ２０２において、上記のソフト・ハンドオーバがセクタ間ハンドオーバであるか否かを判定する。セクタ間ハンドオーバであると判定した場合にはステップ２０４に進み、基地局間ハンドオーバであると判定した場合にはステップ２０５に進む。
【００７７】
ステップ２０３において、移動局は１つのセルとのみ通信を行っているため、移動局の位相比較部５０７で、以下の式のＰが最大となるようなアンテナウェイトｗを計算する。
【００７８】
Ｐ＝ｗＨＨＨＨｗ
ステップ２０４において、ＨＳ−ＰＤＳＣＨが当該移動局に割り当てられるか否かを判定する。ＨＳ−ＰＤＳＣＨが当該移動局に割り当てられると判定した場合にはステップ２０６に進み、ＨＳ−ＰＤＳＣＨが当該移動局に割り当てられないと判定した場合にはステップ２０７に進む。ここで、ＨＳ−ＰＤＳＣＨが当該移動局に割り当てられるか否かの判定は、ＨＳ−ＰＤＳＣＨより２スロット前から送信される制御チャネルＨＳ−ＳＣＣＨにマッピングされている制御情報を参照することにより行うことが可能である。
【００７９】
同様に、ステップ２０５において、ＨＳ−ＰＤＳＣＨが当該移動局に割り当てられるか否かを判定する。ＨＳ−ＰＤＳＣＨが当該移動局に割り当てられると判定した場合にはステップ２０８に進み、ＨＳ−ＰＤＳＣＨが当該移動局に割り当てられないと判定した場合にはステップ２０９に進む。
【００８０】
ステップ２０６において、個別物理チャネルの特性が安定しているセクタ間ハンドオーバ時であり、且つ、ＨＳ−ＰＤＳＣＨが当該移動局に割り当てられるため、移動局のα決定部５０９は、ＨＳ−ＰＤＳＣＨに最適化された値としてα=1.0を設定する。
【００８１】
ステップ２０７において、個別物理チャネルの特性が安定しているセクタ間ハンドオーバ時であるが、ＨＳ−ＰＤＳＣＨが当該移動局に割り当てられないため、移動局のα決定部５０９は、個別物理チャネルに最適化された値としてα=0.5を設定する。
【００８２】
ステップ２０８において、個別物理チャネルの特性が劣化する可能性のある基地局間ハンドオーバ時であり、ＨＳ−ＰＤＳＣＨが当該移動局に割り当てられるものの、移動局のα決定部５０９は、個別物理チャネルの特性を安定化させることを考慮してα=0.6を設定する。
【００８３】
ステップ２０９において、個別物理チャネルの特性が劣化する可能性のある基地局間ハンドオーバ時であり、且つ、ＨＳ−ＰＤＳＣＨが当該移動局に割り当てられていないため、移動局のα決定部５０９は、個別物理チャネルに最適化された値としてα=0.5を設定する。
【００８４】
ステップ２１０において、移動局は複数のセルと通信しているため、移動局の位相比較部５０７で、以下の式のＰが最大となるようなアンテナウェイトｗを計算する。
【００８５】
Ｐ＝ｗＨ（α（Ｈ１ＨＨ１）＋（１−α）（Ｈ２ＨＨ２＋Ｈ３ＨＨ３＋・・・））ｗ
ステップ２１１において、移動局のＦＢＩビット生成部５１１は、このようにして計算されたｗに基づいてＦＢＩビットを生成する。
【００８６】
上記のように、本実施例によれば、セクタ間ハンドオーバであるか基地局間ハンドオーバであるかに応じて、又は、ＨＳ−ＰＤＳＣＨが送信されるか否かに応じて、αの値を適応的に制御することができる。従って、個別物理チャネルの特性を安定化させつつ、ＨＳＤＰＡのスループットを向上させることができる。ここで、個別物理チャネルの特性を安定化させるとは、例えば、個別物理チャネルの送信電力を低減することが可能になるということである。
【００８７】
また、上記実施例は、３ＧＰＰにおける高速パケット伝送方式ＨＳＤＰＡに関して記述したが、本発明は上記ＨＳＤＰＡに限定されるものではなく、その他にも、移動通信システムにおける送信ダイバーシチを用いた通信方式に適用することができる。例えば、３ＧＰＰ２におけるＣＤＭＡ２０００方式、３ＧＰＰにおけるＴＤＤ方式等が、その他の通信方式として挙げられる。
【図面の簡単な説明】
【００８８】
【図１】閉ループ型の送信ダイバーシチの送信部の構成を示す図
【図２】閉ループ型の送信ダイバーシチの受信部の構成を示す図
【図３】基地局間ハンドオーバとセクタ間ハンドオーバとの関係を示す図
【図４】本発明が適用される移動局とその移動局と通信する無線基地局とを示す図
【図５】本発明の実施例に従った移動局の構成を示す図
【図６】本発明の第１実施例におけるフィードバック情報生成手順を示したフローチャート
【図７】本発明の第２実施例におけるフィードバック情報生成手順を示したフローチャート
【符号の説明】
【００８９】
４０１  移動局
４０３  無線基地局
４０５  フィードバック情報制御部
５０１  移動局
５０３  フィードバック情報制御部
５０５  ＣＰＩＣＨ用逆拡散部
５０７  位相比較部
５０９  α決定部
５１１  ＦＢＩビット生成部
【図１】
2006303740.tif 000019
【図２】
2006303740.tif 000020
【図３】
2006303740.tif 000021
【図４】
2006303740.tif 000022
【図５】
2006303740.tif 000023
【図６】
2006303740.tif 000024
【図７】
2006303740.tif 000025